(57)【要約】 【課題】  従来の柵により、田畑や山林で栽培されている作物に被害を与える可能性がある害獣を、作物に近づけない様にすることは、柵を設置することが難しいと言う問題があった。【解決手段】  獣忌避構造体１は、区切られている孔の大きさを忌避対象獣８の肢の先端大きさより所定の余裕を設けて大きくした区切り２３を有し、区切り２３の幅方向の有効個数を３以上にした方形の格子状板を用い、前記方形の格子状板の設置高さを、忌避対象獣８の肢の長さを基準とした範囲内に合わせている。【選択図】図３
2019146488.tif 000002
【特許請求の範囲】
【請求項１】
区切られている孔の大きさを忌避対象獣の肢の先端大きさより所定の余裕を設けて大きくした区切りを有し、前記区切りの幅方向の有効個数を３以上にした方形の格子状板を用い、前記方形の格子状板の設置高さを、忌避対象獣の肢の長さを基準とした範囲内に合わせている獣忌避構造体。
【請求項２】
前記格子状板の設置は地面に対して、略水平形、斜形、山形、円弧形の何れかあるいはこれの組み合わせで形成されている請求項１記載の獣忌避構造体。
【請求項３】
１枚の前記格子状板を曲げ加工することにより形成されている請求項１または請求項２記載の獣忌避構造体。
【請求項４】
請求項１乃至請求項３記載の獣忌避構造体を複数用いて、保護する作物の周囲に配置することにより形成されている獣忌避装置。
【発明の詳細な説明】
【技術分野】
【０００１】
本発明は、田畑で栽培されている穀物・野菜・果実等（以下、作物と呼ぶ。）に被害を与える可能性がある猪、鹿、狸、野犬等の四足歩行をする獣（以下、害獣と呼ぶ。）を、作物に近づけないために用いられる構造体に関する。
【背景技術】
【０００２】
従来作物を害獣の被害から守る方法としては、田畑の周囲に所定の高さの柵を設けることが一般的な方法であった。また、柵が金属製である場合には、金属柵に電気を流すことで、害獣に対する侵入防止効果をさらに上げる方法も行われている。
【０００３】
柵については、特許文献１の「害獣侵入防止用構造体および害獣侵入防止方法」では、柵を二重にして、さらに害獣からの侵入を防止することも考えられている。
【先行技術文献】
【特許文献】
【０００４】
【特許文献１】特開２０１６−９３１２４号公報
【発明の概要】
【発明が解決しようとする課題】
【０００５】
従来の柵を田畑等の周りに設置するためには、金属製の網状または格子状にし、所定の大きさ（広さ）のパネルにした柵用材料（以下、柵用材と呼ぶ。）は市販されているが、柵用材を地面に対して直立させるために、支柱を用い、これに柵用材を固定する必要があった。
【０００６】
そして、一般的な方法としては、多数の支柱を田畑等の周りに所定の間隔で柵用材を固定しても風や害獣の押す等の外力に対して所定の強度が得られる程度の深さまで地面に打ち込む作業と、柵用材を１本の支柱に対して、最低２箇所以上針金や専用金具等により締着する作業を、全部の多数の支柱に対してする作業が必要となると言う問題があった。
【０００７】
地面に柵を固定すると言うことは、作物を栽培するための、農地や山林において必須の作業である除草作業においては、一般的に多く使われている円形の刃をエンジンやモーター等で回転させる草刈り機で作業することは、円形の刃の破損に注意する必要があるため、作業が行い難くなると言う問題があった。そのため、柵の近辺に関しては、作物への影響も考えなくてはいけない除草剤を用いるか、手作業による除草になると言う問題があった。
【０００８】
さらには、害獣が飛び越えることを防止するために柵の有効高さは最低でも１ｍ程度は必要とされており、囲われた田畑等で作物への施肥や作物の収穫等の農作業をするためには、柵の一か所又は複数の箇所に作業に便利な様に扉を設ける必要があると言う問題があった。
【０００９】
特許文献１の「害獣侵入防止用構造体および害獣侵入防止方法」においても、明細書の段落［００６３］に「また、田畑、山林などのように、害獣の侵入を防止する土地に人が入る必要がある場合前記土地の周囲に本発明の害獣侵入防止用構造体を設置しながら、周囲の一部を空けておき、その部分に出入口を設ければよい。」と記載されている様に、同様の問題があった。
【００１０】
特許文献１の「害獣侵入防止用構造体および害獣侵入防止方法」については、一定の強度を持たせる様に複数の部品からなる骨組体製作すると同時、その上に金網を取り付けているので、多数の材料を集めて、複雑な害獣侵入防止用構造体を作成しなければならないので、害獣侵入防止用構造体が高価かつ作成の工数が増加すると言う問題があった。
【００１１】
特許文献１の「害獣侵入防止用構造体および害獣侵入防止方法」については、地面に固定することについては、説明されてないが、前述の出入口を設けること、明細書段落［００１０］の発明の効果に、「高さと幅のある構造体となっているため、公知の害獣防止柵と比べると、例えば、シカのように跳躍して侵入を図る害獣や、イノシシのように地面を掘り起して侵入を図る害獣に対しても、侵入を困難にしている。」や、明細書の段落［００６６］〜［００６８］の実施形態として、特許文献１の構造体は、高さ１ｍであり、枠幅１ｍとして説明されている。そのため、地面に固定しないとしても、その重量また１個の大きさは、成人１で動かせる重量や大きさではなく、簡単に移動させることができないので、一般的な柵と同様の除草作業についての問題があった。
【００１２】
さらには、特許文献１の「害獣侵入防止用構造体および害獣侵入防止方法」においては、害獣侵入防止用構造体の内部の幅１ｍの空間が設けられているので、一般的な柵に比較してさらに除草することは難しくなっていると言う問題があった。
【課題を解決するための手段】
【００１３】
上記の課題を解決するため、本発明では、次の技術的手段を講じている。
【００１４】
第１発明の獣忌避構造体は、区切られている孔の大きさを忌避対象獣の肢の先端大きさより所定の余裕を設けて大きくした区切りを有し、前記区切りの幅方向の有効個数を３以上にした方形の格子状板を用い、前記方形の格子状板の設置高さを、忌避対象獣の肢の長さを基準とした範囲内に合わせている。
【００１５】
第２発明の獣忌避構造体は、請求項１記載の発明において、前記格子状板は地面に対して、略水平形、斜形、山形、円弧形の何れか、あるいはこれの組み合わせで形成されている。
【００１６】
第３発明の獣忌避構造体は、請求項１または請求項２記載の発明において、１枚の前記格子状板を曲げ加工することにより形成されている。
【００１７】
第４発明の獣忌避装置は、請求項１乃至請求項３記載の獣忌避構造体を複数用いて、保護する作物の周囲に配置することにより形成されている。
【発明の効果】
【００１８】
以上のような、技術的手段を有することにより、以下の効果を有する。
【００１９】
第１発明によれば、柵の様に地面にしっかり固定する必要がないので、設置が簡単にできる。
【００２０】
第２発明によれば、第１発明を利用し、構造が簡単なので容易に製作でき、設置も簡単にできる。
【００２１】
第３発明によれば、第１発明又は第２発明を利用し、構造が簡単かつ廉価に製作でき、設置も簡単にできる。
【００２２】
第４発明によれば、第１発明乃至第３発明を利用しているので、獣忌避装置としても、簡単かつ廉価に製作でき、設置も簡単にできる。
【図面の簡単な説明】
【００２３】
【図１】本発明に係る第１の実施形態の獣忌避構造体の外観図である。
【図２】本発明に係る第１の実施形態の獣忌避構造体を作成するための説明図である。
【図３】本発明に係る第１の実施形態の獣忌避構造体の側面図である。
【図４】本発明に係る第１の実施形態の獣忌避構造体を組み合わせて農地の周囲に囲んだ獣忌避構造装置の説明図である。
【図５】本発明に係る第１の実施形態を簡易的に実施するとした場合の側面図ある。
【図６】本発明に係る第２の実施形態の獣忌避構造体の側面図である。
【図７】本発明に係る第２の実施形態を簡易的に実施するとした場合の側面図ある。
【図８】本発明に係る第３の実施形態の獣忌避構造体の側面図である。
【図９】本発明に係る第４の実施形態の獣忌避構造体の側面図である。
【発明を実施するための形態】
【００２４】
本発明に係る獣忌避構造体の実施の形態について図１乃至図９に基づき説明する。なお、この実施の形態によりこの発明が限定されるものではない。
【００２５】
（第１の実施形態）
第１の実施形態について、図１乃至図５に基づき説明する。図１は獣忌避構造体１の外観を示した斜視図である。獣忌避構造体１は地面に設置した場合に、地面に対して粗水平な天面１１と、天面１１の長辺の両側から地面に向かって延びる左側面１２と右側面１３とによって形成されている。なお、獣忌避構造体１は、詳細後述する格子状板２０により形成されており各面の境が明確でないので、図１の下図には破線で、天面１１、左側面１２と右側面１３の参考の外形形状を示している。
【００２６】
また、左側面１２と右側面１３については、天面１１に対して垂直に延びるのではなく、９５〜１１５度の範囲の鈍角になる様に設定している。鈍角にしていることにより、後述する複数の獣忌避構造体１を連接させて、環状に複数の獣忌避構造体１を設置する場合に、獣忌避構造体１相互を重なり合わせることができる。
【００２７】
天面１１については、本実施形態においては、左側面１２と右側面１３の高さ方向の長さを調整することで、天面１１の地面に対しての高さを粗１５０ｍｍになる様に形成している。この天面１１の地面に対しての高さについては、忌避対象獣（侵入が想定される害獣）の肢（脚とも言う。）の長さを基準として設定するもので、本実施形態では、日本に生息する猪の成獣を対象として設定している。日本に生息する猪の成獣については、肩高さが６００ｍｍ〜９００ｍｍ程度と言われており、これから、脚の長さは３００ｍｍ〜４５０ｍｍ程度と推定できるからである。よって、忌避対象獣によっては、５０ｍｍ〜３００ｍｍにしても良い。
【００２８】
獣忌避構造体１が獣忌避効果を有する理由は以下の様に考えられる。
忌避対象獣である四足歩行をする動物の四肢の多くは二足歩行をする人間とは異なり、手の指先やつま先のみを地面に付けて歩行する構造となっている。そのため、四足歩行をする動物の四肢は四肢先端の地面に対する設置面積は四肢の太さに比較して小さいのが一般的である。また、四足歩行をする動物の四肢の先端付近は、人間の手の指先やつま先に相当する部分のみを地面に付けて、人間の手の指先やつま先に相当する部分の上部の関節も大きく使って歩行している。人間の手の指先やつま先に相当する部分の上部の関節より上の四肢に外力が加わると、たちまち四足歩行をする動物の歩行は困難になり、これを恐れて忌避対象獣は獣忌避構造体１には近寄らなくなると考えられる。
【００２９】
人間であっても、アスレチックや運動会等のスポーツ競技において、水平にした梯子や目の粗い網に引っ掛からない様に歩くのは、大変慎重に行う必要がある。二足歩行の場合でもこの様に難しい動作であるのであるから、人間に比較して敏捷であるとしても四足歩行の動物については、四肢の内の１本が、獣忌避構造体１に絡まれば、歩行が困難となる。
【００３０】
獣忌避構造体１の高さは約１５０ｍｍであり、設置する忌避範囲の幅は約６００ｍｍであるので、通常、忌避対象獣である猪や鹿やその他四足歩行をする動物であれば、飛び越えることも可能と考えられる。しかしながら、田畑や山林の作物を食べるために作物を植えた田畑や山林等に忌避対象獣が近づくのは、人間が作業等してない夜間であることや、忌避対象獣も、緊急の場合以外は、警戒しながらゆっくりと移動するので、獣忌避構造体１を発見又は触れた場合にはこれに近づかないと考えられる。
【００３１】
実際に、出願人において、本実施形態の獣忌避構造体１について、作物を植えた田畑や山林等の周囲に複数設置して実施したところ、作物への被害が減少している。
【００３２】
図２を用いて獣忌避構造体１の製作法について説明する。獣忌避構造体１は、図２（ａ）の方形の格子状板２０を加工することにより形成されている。方形の格子状板２０は、直径５ｍｍのメッキを施した鉄やステンレス等の長さ１ｍの第一金属棒２１（２１ａ〜２１ｎ）を１４本と、長さ２ｍの第二金属棒２２（２２ａ〜２２ｇ）の金属棒を７本とにより形成されている。
【００３３】
形成方法としては、第一金属棒２１と第二金属棒２２を粗等間隔に並べて互いに溶接することにより全体の大きさが縦１ｍ、横２ｍの板状になっている。これにより、格子状板２０には、粗１５０ｍｍ×粗１５０ｍｍの区切り２３が、縦方向に６箇所か所、横方向に１３箇所できている。そして、第一金属棒２１（２１ａ〜２１ｎ）の先端は、両端の第二金属棒２２ａと第二金属棒２２ｇよりも外側に食み出している。同時に第二金属棒２２（２２ａ〜２２ｇ）の先端は、両端の第一金属棒２１ａと第一金属棒２１ｎよりも外側に食み出している。
【００３４】
ここで、格子とは、周期的に並んだ区切り、仕切りのことであるから、本実施形態においては、粗正方形の区切りが設けられているもので説明しているが、三角形、長方形、菱形、六角形等やこれら複数の組み合わせの区切りとしても良い。そしてこれらの区切りが、忌避対象獣（侵入が想定される害獣）の肢（脚）の先端大きさを基準として所定の余裕を設けて大きくした大きさとすれば良いことになる。具体的には、日本に生息する猪の成獣を対象として設定し、本実施形態では、区切り２３を粗１５０ｍｍ×粗１５０ｍｍにしているが、例えば、忌避対象獣によっては、粗５０ｍｍ×粗５０ｍｍ〜粗２００ｍｍ×粗２００ｍｍの範囲に変えても良い。
【００３５】
図２（ｂ）において、格子状板２０の長辺側で、格子状板２０の両端の第二金属棒２２ａと第二金属棒２２ｇから外側に食み出す１４本の第一金属棒２１（２１ａ〜２１ｎ）の先端を、両端の第二金属棒２２ａと第二金属棒２２ｇを軸にして折り曲げて両端の第二金属棒２２ａと第二金属棒２２ｇに巻きつけている。１４本の第一金属棒２１の先端を第二金属棒２２ａと第二金属棒２２ｇに巻きつけることにより、格子状板２０自体の加工強度が増すことや、格子状板２０を加工した後の獣忌避構造体１の捻りや撓みに対する強度が増すとや、地面に接する先端の強度を向上させ先端が地面にめり込み難くなるからである。
【００３６】
図２（ｃ）において、１４本の第一金属棒２１の先端を、折り曲げた後、格子状板２０ａの両側から２本目の第二金属棒２２ｂと第二金属棒２２ａ付近を曲げ位置にして、１４本の第一金属棒２１（２１ａ〜２１ｎ）の両側を下側に向かって曲げる。これにより、第一金属棒２１ａ、第一金属棒２１ｎ、第二金属棒２２ａと第二金属棒２２ｂにより囲まれて出来る１３個の区切り２３により、左側面１２、及び第一金属棒２１ａ、第一金属棒２１ｎ、第二金属棒２２ｆと第二金属棒２２ｇにより囲まれて出来る１３個の区切り２３により、右側面１３とが形成される。
【００３７】
そして、残りの部分である、第一金属棒２１ａ、第一金属棒２１ｎ、第二金属棒２２ｂと第二金属棒２２ｆにより囲まれて出来る５２カ所（４列×１３個）の区切り２３により、長さ方向２ｍ、幅方向粗６００ｍｍの天面が形成される。
【００３８】
なお、第二金属棒２２ｂと第二金属棒２２ａ付近を曲げ位置にして、１４本の第一金属棒２１（２１ａ〜２１ｎ）の両側を下側に向かって曲げる場合の曲げ角度については、前述の様に直角までは曲げず、鈍角になる様に曲げている。これにより、獣忌避構造体１が完成する。
【００３９】
獣忌避構造体１の曲げ加工については、市販の工具や、格子状板２０の形状に合わせた専用工具を用いた手作業によって実施可能である。もちろん、大量生産する場合には、プレス機械や油圧ベンダー等に専用の治具を組み合わせて機械加工すれば良い。もちろん、格子状板２０を曲げずに、適当な箇所で切断し、溶接、溶着、接着や針金の結束等により獣忌避構造体を形成する方法でも本実施形態は実施可能であるが、工数が増えることや、溶接や結束では獣忌避構造体の強度が低下することやゆがみが生じる等の問題が発生する。  よって、設置の利便性については、溶接等の方法によるものでも良いが、本実施形態の様に、１枚の格子状板２０をそのまま曲げ加工を行う方が好ましい。
【００４０】
図３は、獣忌避構造体１を図１の幅方向（以下、幅側と呼ぶ。）から見た図（側面図）である。また、参考として、忌避対象獣として猪８を図示している。獣忌避構造体１は側面から見ると、地面９側に開口し、地面９を底辺とする台形状になっている。また、天面１１は、幅側の長さが約６００ｍｍの範囲に４列の区切り２３が設けられることになる。
【００４１】
また、獣忌避構造体１の高さは、約１５０ｍｍになる。そのため、忌避対象獣への忌避効果を有した状態で、成人であれば高さ約１５０ｍｍで幅約６００ｍｍの獣忌避構造体１を簡単に飛び越えることができ、背の高い人ならば跨ぐことも可能となる。そのため、獣忌避構造体１が周囲に設置されている田畑や山林に容易に近づくことができるので、獣忌避構造体１が周囲に設置されている田畑や山林での農作業の邪魔にならない。もちろん、従来の柵の様に、柵に扉を設ける手間も必要ない。
【００４２】
図４は、獣忌避構造体１を複数（図４においては３３個）並べて田畑５の周囲に設置し、獣忌避構装置５とした状態を上から見た図である。前述の様に、獣忌避構造体１は、台形状になっているので、重なる箇所で少しずつ曲げれば、直線状に複数の獣忌避構造体１を設置するだけではなく、図４の上側に示している様に半円状に複数の獣忌避構造体１を設置することもできる。また、獣忌避構造体１相互の重なりを調整することで全体の長さを調整することもできる。
【００４３】
なお、横方向の獣忌避構造体１と、縦方向の獣忌避構造体１並べることで、２個の獣忌避構造体１の配置を直角にして設置する場合には、獣忌避構造体１の幅側より食み出る７本の第二金属棒２２（２２ａ〜２２ｇ）の先端を、獣忌避構造体１の長さ側の側面に差し込む様にすれば良い。
【００４４】
また図４に示した実施形態においては、田畑１０の周囲を一重で取り囲む方法として説明したが、田畑１０の周囲の全部又は一部を二重や三重等の複数重にして囲む様にしても良い。さらに、二重や三重等にする場合には、外側と内側に形状の異なる獣忌避構造体１を設置する様にしても良い。例えば、外側の囲みは、本実施形態の獣忌避構造体１を複数設置し、内側の囲みには、狸やキツネ等の小型害獣を対象として、区切り２３の空間を粗５０ｍｍ×粗５０ｍｍにし、同時に獣忌避構造体の高さも粗５０ｍｍにして、獣忌避構造体１よりも小さい区切り２３や高さにする方法である。もちろん、獣忌避構造体１よりも大きい区切り２３や高さにする方法も良い。
【００４５】
獣忌避構造体１の１個の重さは、加工前の格子状板２０の重さと同じになるので、約５ｋｇであり、成人であれば簡単に持ち運びできる。そのため、作物を植えた田畑や山林等の周囲に設置する場合にも容易となる。また、草刈のために獣忌避構造体１を移動させる場合や、再度元の位置に設置する場合でも作業が簡単にできる。
【００４６】
図５は格子状板２０を曲げ加工を行わずに獣忌避構造体１と同様な獣忌避効果が得られる簡易的な実施形態を示す。図５においては、格子状板２０の１個について厚み１５０ｍｍのコンクリートブロック６を３個〜６個程度地面に置き、３個〜６個程度のコンクリートブロック６の上に１枚の格子状板２０を置いて、３個〜６個程度のコンクリートブロック６と格子状板２０を針金７で固定する方法である。
【００４７】
この場合については、コンクリートブロック６の重量が１個約１５ｋｇであるので、格子状板２０の加工は省略できるが、多数のコンクリートブロック６を購入するための経費と、多数のコンクリートブロック６を、作物が植えられた田畑や山林等までの運搬する労力や経費と、コンクリートブロック６を設置するための手間や重量物を移動することによる作業者の労力が増大する。また、設置後について草刈等の農作業で移動させることも獣忌避構造体１に比較して労力が増大する。ただし、この場合であっても、柵を設置することを考えれば、コンクリートブロック６と格子状板２０を置き、針金７で結束するだけなので、簡単な作業で実施できる。
【００４８】
（第２の実施形態）
第２の実施形態について、図６と図７に基づき説明する。図６は獣忌避構造体２の幅側から見た側面図である。第１の実施形態の図２（ｂ）の格子状板２０ａまで加工した後、片側のみ高さ約２５０ｍｍで曲げたものである。獣忌避構造体２の側面から見た形状は、地面９側に開口し、地面９を１辺とする粗直角三角形の形状に形成されている。この形状であっても、第二金属棒２２ｃが約２００ｍｍ、第二金属棒２２ｆが約５０ｍｍの範囲に、３箇所の区切り２３が設けられることになり、忌避対象獣に対しての忌避効果を発揮することができる。
また、獣忌避構造体２も地面９に対して広がる形状となるので、複数の獣忌避構造体２を連接させる場合に、獣忌避構造体２同士を重なり合わせることが可能になる。
【００４９】
図７は、２個〜３個のコンクリートブロック６と、未加工の１個の格子状板２０で獣忌避構造体２と同じ忌避効果が得られる簡易的な実施形態を示す。なお、コンクリートブロック６は、２００ｍｍの高さになる様に設置している。図５の場合と同様、格子状板２０の加工の手間は省けるが、コンクリートブロック６の経費や運搬・設置の労力が増大する。この場合であっても、柵を設置することを考えれば、コンクリートブロック６と格子状板２０を置き、針金７で結束するだけなので、簡単な作業で実施できる。
【００５０】
（第３の実施形態）
第３の実施形態について、図８に基づき説明する。図８は獣忌避構造体３の幅側から見た側面図である。第１の実施形態の図２（ｂ）の格子状板２０ａまで加工した後、幅側の中央部付近の第二金属棒２２ｄを軸として折り曲げ、第二金属棒２２ｄの高さを約２００ｍｍになる様に形成したものである。獣忌避構造体３の側面から見た形状は、地面９側に開口し、地面９を１辺とする二等辺三角形の形状に形成されている。この形状であっても、第二金属棒２２ｂと第二金属棒２２ｆが約６０ｍｍ、第二金属棒２２ｃと第二金属棒２２ｅが約１５０ｍｍの範囲になり、有効な４箇所の区切り２３が設けられることになり、忌避対象獣に対しての忌避効果を発揮することができる。
【００５１】
また、獣忌避構造体３も地面９に対して広がる形状となるので、複数の獣忌避構造体３を連接させる場合に、獣忌避構造体３同士を重なり合わせることが可能になる。
【００５２】
（第４の実施形態）
第４の実施形態について、図９に基づき説明する。図９は獣忌避構造体４の幅側から見た側面図である。第１の実施形態の図２（ｂ）の格子状板２０ａまで加工した後、幅側に粗均一に湾曲する様に曲げて、第二金属棒２２ｄの高さを約１８０ｍｍになる様に形成したものである。獣忌避構造体３の側面から見た形状は、地面９側に開口し、地面９上に円弧の形状として形成されている。この形状であっても、第二金属棒２２ｂと第二金属棒２２ｆが約８０ｍｍ、第二金属棒２２ｃと第二金属棒２２ｅが約１７０ｍｍの高さになり、有効な４箇所の区切り２３が設けられることになり、忌避対象獣に対しての忌避効果を発揮することができる。
【００５３】
また、獣忌避構造体４も地面９に対して広がる形状となるので、複数の獣忌避構造体４を連接させる場合に、獣忌避構造体４同士を重なり合わせることが可能になる。
【００５４】
以上、本発明について、第１〜第４の実施形態に基づき説明してきたが、本発明は何らこれらの実施形態の構成に限定するものではない。例えば、実施形態相互の組合せを変えることによって実施可能である。また、獣忌避構造体の材料を所定の強度を有すると同時に劣化し難い樹脂を用いて成形加工する方法によっても実施可能である。
【符号の説明】
【００５５】
１、２、３、４：獣忌避構造体
５：獣忌避装置
６：コンクリートブロック
７：針金
８：猪
９：地面
１０：田畑
１１：天面
１２：左側面
１３：右側面
２０、２０ａ：格子状板
２１（２１ａ〜２１ｎ）：第一金属棒
２２（２２ａ〜２２ｇ）：第二金属棒
２３：区切り
【図１】
2019146488.tif 000003
【図２】
2019146488.tif 000004
【図３】
2019146488.tif 000005
【図４】
2019146488.tif 000006
【図５】
2019146488.tif 000007
【図６】
2019146488.tif 000008
【図７】
2019146488.tif 000009
【図８】
2019146488.tif 000010
【図９】
2019146488.tif 000011